(57)【要約】  可燃性燃料を含む燃料供給物と共に使用されるように構成された飛翔昆虫捕捉装置を開示する。この捕捉装置は、可燃性燃料を受け入れるための入口ポートと、可燃性燃料と空気の混合物の流れを実質的に層状にするための乱流減少構造と、乱流減少構造の下流に配置された触媒要素と、乱流減少構造と触媒要素の中間に中空内部空間を有する熱領域であって、可燃性材料が熱領域の中に流れ込んでそこで連続燃焼が行われ、二酸化炭素を含む排気ガスの発生を可能にする熱領域と、連続燃焼によって発生する熱を伝達するために熱領域の中空内部空間の中に内側に延在する複数の熱交換フィンとを含む燃焼装置を有している。【特許請求の範囲】
【請求項１】
可燃性燃料を含む燃料供給物と共に使用されるように構成された飛翔昆虫捕捉装置が、
支持フレームと、
飛翔昆虫を受け入れるように構成された昆虫入口と、
前記昆虫入口と連通して前記昆虫入口から前記飛翔昆虫を受け入れるように構成された昆虫捕捉室と、
燃焼装置とを有しており、
前記燃焼装置が、
前記可燃性燃料を受け入れるための入口ポートと、
前記可燃性燃料と空気の混合物の流れを実質的に層状にするための乱流減少構造と、
前記乱流減少構造の下流に配置された触媒要素と、
前記乱流減少構造と前記触媒要素の中間に中空内部空間を有する熱領域であって、前記可燃性材料が熱領域の中に流れ込んでそこで連続燃焼が行われ、二酸化炭素を含む排気ガスの発生を可能にする熱領域と、
前記連続燃焼によって発生する熱を伝達するために前記熱領域の前記中空内部空間の中で内側に延在する複数の熱交換フィンとを有しており、
前記昆虫捕捉装置が、さらに、
排気出口であって、前記排気ガス中の前記二酸化炭素によって誘引された昆虫が捕捉装置に向かって飛翔するように、前記排気ガスを受け入れて前記排気ガスが通って外側へ流出できるように構成された排気出口と、
前記昆虫入口に連通しており、捕捉装置に誘引された前記昆虫を、前記昆虫入口を通じて前記昆虫捕捉室の中に引き入れるように作られている、電力供給される真空装置と、
熱を放散させるように構成されたヒート・シンクと、
熱電装置であって、熱がその第１側からその第２側に伝達するときに電流を発生するものであり、前記燃焼装置と接触して配置された前記第１側と、前記ヒート・シンクと接触して配置された前記第２側とを有し、前記連続燃焼によって発生した熱が前記フィンによって伝達される熱も含めて熱電装置を介して前記ヒート・シンクへ伝達できるようにして前記電流を発生させ、少なくとも前記真空装置に電気的に接続されて前記真空装置に電力供給する熱電装置と
を有している、昆虫捕捉装置。
【請求項２】
前記熱電装置と前記真空装置に連通する制御装置をさらに有し、前記制御装置は、前記熱電装置によって発生する前記電流を受け入れて前記電流を前記真空装置に連通させるように構成されている、請求項１に記載の昆虫捕捉装置。
【請求項３】
前記制御装置と連通する排気装置をさらに有し、前記排気装置が、前記燃焼装置から前記排気ガスを引き入れて前記捕捉装置から前記排気ガスを押出すように位置付けられている、請求項２に記載の昆虫捕捉装置。
【請求項４】
前記熱領域の容積に対する前記複数の熱交換フィンの容積の比が約０．０５から約０．１５の間にある、請求項１に記載の昆虫捕捉装置。
【請求項５】
前記比が約０．０９から約０．１３の間にある、請求項４に記載の昆虫捕捉装置。
【請求項６】
前記比が約０．１１である、請求項５に記載の昆虫捕捉装置。
【請求項７】
前記捕捉装置から出る前記排気ガスが二酸化炭素を約５０００ｐｐｍから約１５０００ｐｐｍ、の間で含む請求項１に記載の昆虫捕捉装置。
【請求項８】
前記捕捉装置から出る前記排気ガスが二酸化炭素を約９５００ｐｐｍから約１３５００ｐｐｍの間で含む、請求項７に記載の昆虫捕捉装置。
【請求項９】
前記熱電装置の前記第１側を横切って前記燃焼装置から伝達される前記熱を実質的に均等に分散させるために、前記燃焼装置を前記熱電装置に押圧するための締付け装置をさらに有し、前記締付け装置が前記ヒート・シンクに連結され、単一接触点を前記燃焼装置に当てるために構成され、前記単一接触点が前記熱電装置の中心と実質的に整列している、請求項１に記載の昆虫捕捉装置。
【請求項１０】
前記締付け装置が、前記ヒート・シンクに各端部で連結されたＣクランプと、前記Ｃクランプに中央部分で連結されたプランジャとを有し、前記ヒート・シンクとは反対側の表面において前記単一接触点を前記燃焼装置に当てる、請求項９に記載の昆虫捕捉装置。
【請求項１１】
前記入口ポートが約０．２５ｍｍ（約０．０１０インチ）より大きな直径を有する開口を有する、請求項１に記載の昆虫捕捉装置。
【請求項１２】
前記開口の直径が約０．２５ｍｍ（約０．０１０インチ）から約１．２７ｍｍ（約０．０５０インチ）の間にある、請求項１１に記載の昆虫捕捉装置。
【請求項１３】
前記熱電装置の前記第１側における温度が、前記捕捉装置の動作中に約１６３℃（約３２５°Ｆ）から約１９１℃（約３７５°Ｆ）の間にある、請求項１に記載の昆虫捕捉装置。
【請求項１４】
前記温度が約１７７℃（約３５０°Ｆ）である、請求項１３に記載の昆虫捕捉装置。
【請求項１５】
前記熱電装置の前記第１側と前記第２側の間の温度差が約７７℃（約１７０°Ｆ）から約１３７℃（約２５０°Ｆ）の間にある、請求項１に記載の昆虫捕捉装置。
【請求項１６】
前記温度差が約１１０℃（約２３０°Ｆ）である、請求項１５に記載の昆虫捕捉装置。
【請求項１７】
前記入口ポートから前記可燃性燃料を受け入れて、可燃性燃料が空気の中に実質的に分散するように前記可燃性燃料と空気を混合する混合器をさらに有し、前記混合器は前記乱流減少構造の下流に配置されている、請求項１に記載の昆虫捕捉装置。
【請求項１８】
前記混合器が、可燃性燃料と空気が通過して流れる複数の開口部を有する拡散プレートを有する、請求項１７に記載の昆虫捕捉装置。
【請求項１９】
前記乱流減少構造が、本質的に直線の複数の導管が通過して延在するモノリスを有する、請求項１に記載の昆虫捕捉装置。
【請求項２０】
前記触媒要素が、本質的に直線の複数の導管が通過して延在するモノリスを有し、前記導管がその表面に触媒を備えている、請求項１に記載の昆虫捕捉装置。
【請求項２１】
前記触媒が白金である、請求項１に記載の昆虫捕捉装置。
【請求項２２】
前記燃焼装置の少なくとも一部分が、アルミニウムと銅から成る群から選択された金属である、請求項１に記載の昆虫捕捉装置。
【請求項２３】
前記複数の熱交換フィンが、アルミニウムと銅から成る群から選択された金属である、請求項２２に記載の昆虫捕捉装置。
【請求項２４】
前記複数の熱交換フィンと直接接触しない前記燃焼装置の他の部分が、セラミック材料である、請求項２３に記載の昆虫捕捉装置。
【請求項２５】
可燃性燃料を含む燃料供給物と共に使用されるように構成された飛翔昆虫捕捉装置が、
下部ハウジング部分と上部ハウジング部分とを有するハウジングを有し、前記上部ハウジング部分が、閉位置と開位置との間で移動するために前記下部ハウジング部分に移動可能に連結されている支持フレームと、
飛翔昆虫を受け入れるように構成された昆虫入口と、
前記下部ハウジング部分に取外し可能に取り付けられて、前記昆虫入口から前記飛翔昆虫を受け入れるように構成された昆虫捕捉室であって、前記上部ハウジング部分が前記開位置にあるときにはアクセス可能で取外し可能であり、前記上部ハウジング部分が前記閉位置にあるときには前記上部ハウジング部分によって覆われている昆虫捕捉室と、
前記下部ハウジング部分の上に取り付けられた燃焼装置であって、中で前記可燃性燃料を連続燃焼するための内部空間を備えて、二酸化炭素を含む排気ガスを生成するように構成された燃焼装置と、
前記排気ガスを受け入れるように構成された排気出口であって、排気ガスが通って外側へ流れることを可能にし、これによって前記排気ガス中の前記二酸化炭素に誘引された昆虫が捕捉装置の方へ飛翔するように構成された排気出口と、
前記昆虫入口に連通して、捕捉装置に誘引された前記昆虫を前記昆虫捕捉室の中に前記昆虫入口を通じて引き入れるように構成された真空装置と、
（ａ）前記上部ハウジング部分を前記開位置に支持する支持位置と、（ｂ）前記上部ハウジング部分が前記閉位置に移動できるようにする不動作位置との間を移動可能な支持部材と
を有する昆虫捕捉装置。
【請求項２６】
前記支持部材が、前記上部ハウジング部分が前記閉位置から前記開位置へ移動すると自動的に前記支持位置へ移動するように偏倚されている、請求項２５に記載の昆虫捕捉装置。
【請求項２７】
前記上部ハウジング部分と前記下部ハウジング部分の各々が、前記上部ハウジング部分が前記閉位置にあるときに前記捕捉装置を支えるように構成されたハンドルの一部分を有している、請求項２５に記載の昆虫捕捉装置。
【請求項２８】
前記上部ハウジング部分が前記閉位置にあるときに前記上部ハウジング部分を前記下部ハウジング部分にロックするための可動ロックをさらに有する請求項２５に記載の昆虫捕捉装置。
【請求項２９】
前記可動ロックが前記上部ハウジング部分に連結され、前記下部ハウジング部分に設けられた凹所の中に解放可能に受け入れられている、請求項２８に記載の昆虫捕捉装置。
【請求項３０】
前記昆虫捕捉室が前記下部ハウジング部分によって支持された可動蓋を有し、前記可動蓋が前記上部ハウジング部分が前記開位置にあるときのみアクセス可能である、請求項２５に記載の昆虫捕捉装置。
【請求項３１】
前記下部ハウジング部分に取り付けられて、前記燃焼装置と前記排気出口との間に流体連通して配置された誘引物質容器であって、前記排気ガスが前記排気出口を通って前記捕捉装置から出る前に前記排気ガスの中に拡散する拡散可能な昆虫誘引物質を受け入れるように構成されている誘引物質容器をさらに有し、
前記誘引物質容器が、前記上部ハウジング部分が前記開位置にあるときには前記誘引物質を取り替えるためにアクセス可能であり、前記上部ハウジング部分が前記閉位置にあるときには覆われる、請求項２５に記載の昆虫捕捉装置。
【請求項３２】
前記誘引物質容器が、前記上部ハウジング部分が前記開位置にあるときにアクセス可能である取外し可能な蓋を有する、請求項３１に記載の昆虫捕捉装置。
【請求項３３】
可燃性燃料を含む燃料供給物と共に使用されるように構成された飛翔昆虫捕捉装置が、
支持フレームと、
飛翔昆虫を受け入れるように構成された昆虫入口と、
前記昆虫入口から前記飛翔昆虫を受け入れるように構成された昆虫捕捉室と、
可燃性燃料の連続燃焼のための内部空間を設けて、この中で二酸化炭素を含む排気ガスを生じさせるように構成された燃焼装置と、
排気出口であって、前記排気ガス中の前記二酸化炭素によって誘引された昆虫が捕捉装置に向かって飛翔するように、前記排気ガスを受け入れて前記排気ガスが通って外側へ流出できるように構成された排気出口と、
前記昆虫入口に連通しており、捕捉装置に誘引された前記昆虫を、前記昆虫入口を通じて前記昆虫捕捉室の中に引き入れるように作られている、電力供給される真空装置と、
熱を放散させるように構成されたヒート・シンクと、
熱電装置であって、熱がその第１側からその第２側に伝達するときに電流を発生するものであり、前記燃焼装置と接触して配置された前記第１側と、前記ヒート・シンクと接触して配置された前記第２側とを有し、前記連続燃焼によって発生した熱が熱電装置を介して前記ヒート・シンクへ伝達できるようにして電流を発生させ、少なくとも前記真空装置に電気的に接続されて前記真空装置に電力供給する熱電装置と、
前記燃焼装置を前記熱電装置に押圧して、前記熱電装置の前記第１側を横切って前記燃焼装置から伝達される前記熱を実質的に均等に分散させるための締付け装置とを有し、
前記締付け装置が前記ヒート・シンクに連結され、単一接触点を前記燃焼装置に当てるために構成され、前記単一接触点が前記熱電装置の前記第１側の中心と実質的に整列している、昆虫捕捉装置。
【請求項３４】
前記締付け装置が、前記ヒート・シンクに各端部で連結されたＣクランプと、前記Ｃクランプに中央部分で連結されたプランジャとを含み、前記ヒート・シンクと反対側の表面において前記単一接触点を前記燃焼装置に当てる、請求項３３に記載の昆虫捕捉装置。
【請求項３５】
可燃性燃料を含む燃料供給物と共に使用されるように構成された飛翔昆虫捕捉装置が、
支持フレームと、
飛翔昆虫を受け入れるように構成された昆虫入口と、
前記昆虫入口から前記飛翔昆虫を受け入れるように構成された昆虫捕捉室と、
前記可燃性燃料の連続燃焼のための内部空間を設けて、この中で二酸化炭素を含む排気ガスを生じさせるように構成された燃焼装置と、
排気出口であって、前記排気ガス中の前記二酸化炭素によって誘引された昆虫が捕捉装置に向かって飛翔するように、前記排気ガスを受け入れて前記排気ガスが通って外側へ流出できるように構成された排気出口と、
前記昆虫入口に連通しており、捕捉装置に誘引された前記昆虫を、前記昆虫入口を通じて前記昆虫捕捉室の中に引き入れるように作られている真空装置と、
前記燃焼装置と前記排気出口との間に流体連通して配置された誘引物質容器であって、前記排気ガスが前記排気出口を通って捕捉装置から出る前に前記排気ガスの中に拡散する拡散可能な昆虫誘引物質を受け入れるように構成されている誘引物質容器とを有し、
前記昆虫誘引物質容器が、前記昆虫誘引物質の除去と取替えを可能にする開口部と、前記開口部を取外し可能に覆うカバーとを有し、前記カバーが前記誘引物質容器の中の前記誘引物質にアクセスできるように除去可能である、昆虫捕捉装置。
【発明の詳細な説明】
【技術分野】
【０００１】
本出願は、「飛翔昆虫を捕捉するための装置」と題する２００４年３月１９日に出願の米国仮特許出願第６０／５５４４０９号、及び２００５年３月１８日に出願の同第（未決）号の優先権利益を主張するものであり、それら両方の全体は参照によって本明細書に援用されている。
【０００２】
本発明は、蚊やヌカカやその他の昆虫などの飛翔昆虫を捕捉するための装置に関する。
【背景技術】
【０００３】
米国特許第６１４５２４３号（「‘２４３特許」と呼ぶ）及び同第６８４０００５号（「‘００５特許」と呼ぶ）は、本出願の譲受人、ロードアイランド州Ｎｏｒｔｈ  ＫｉｎｇｓｔｏｗｎのＡｍｅｒｉｃａｎ  Ｂｉｏｐｈｙｓｉｃｓ  Ｃｏｒｐ．によって開発された昆虫捕捉装置を開示している。‘２４３特許と‘００５特許は、蚊やその他の飛翔昆虫を誘引するために二酸化炭素の流れを発生させるための燃焼を使用する装置を開示している。これらのどの装置においても、真空が二酸化炭素によって誘引された昆虫を捕捉室の中に入口を通じて引き寄せる。捕捉室は使い捨ての網袋を含み、この袋の中で蚊は脱水状態になる。袋が一杯になると、これを除去して取り替えることができる。
【発明の開示】
【発明が解決しようとする課題】
【０００４】
‘２４３特許及び‘００５特許に開示された装置は、Ａｍｅｒｉｃａｎ  Ｂｉｏｐｈｙｓｉｃｓ  Ｃｏｒｐｏｒａｔｉｏｎのためには商業的に成功であったが、本出願の発明者によるさらなる製品開発の努力が、装置の改良に向けられる多くの改善点を生み出した。
【課題を解決するための手段】
【０００５】
本発明の一態様では、可燃性燃料を含む燃料供給物によって使用するように構成された、飛翔昆虫捕捉装置が提供される。この捕捉装置は、支持フレームと、飛翔昆虫を受け入れるように構成された昆虫入口と、昆虫入口と連通して昆虫入口から飛翔昆虫を受け入れるように構成された昆虫捕捉室と、燃焼装置とを有する。燃焼装置は、可燃性燃料を受け入れるための入口ポートと、可燃性燃料と空気の混合物の流れを実質的に層状にするための乱流減少構造と、乱流減少構造の下流に配置された触媒要素と、乱流減少構造と触媒要素の中間に中空内部空間を有する熱領域であって、可燃性材料が熱領域の中に流れ込んでそこで連続燃焼が行われ、二酸化炭素を含む排気ガスの発生を可能にする熱領域と、連続燃焼によって発生する熱を導くために熱領域の中空内部空間の中に内側に延在する複数の熱交換フィンとを有する。捕捉装置は排気出口も有し、排気出口によって排気ガスが受け入れられ、排気ガスがこれを通って外側へ流出することができ、こうして排気ガス中の二酸化炭素によって誘引された昆虫は捕捉装置に向かって飛翔することになる。電気エネルギーを与えられる真空装置が昆虫入口に連通しており、捕捉装置に誘引された昆虫を、昆虫入口を通じて昆虫捕捉室の中に引き入れるように作られている。捕捉装置はさらに、熱を放散させるように構成されたヒート・シンクと、熱電装置とを有し、この熱電装置は、熱がこの第１側からこの第２側に伝達するときに電流を発生する。熱電装置は、燃焼装置と接触して配置された第１側と、ヒート・シンクと接触して配置された第２側とを有し、連続燃焼によって発生した熱がフィンによって伝達される熱も含めて熱電装置を介してヒート・シンクへ伝達できるようにして、電流を発生させる。熱電装置は少なくとも真空装置に電気的に接続されて、この真空装置に電力を供給する。
【０００６】
本発明の別の態様では、可燃性燃料を含む燃料供給物によって使用するように構成された昆虫捕捉装置が提供される。この捕捉装置は、下部ハウジング部分と上部ハウジング部分とを備えたハウジングを有する支持フレームを有する。上部ハウジング部分は、開位置と閉位置との間で移動するために下部ハウジング部分に移動可能に連結されている。捕捉装置は又、飛翔昆虫を受け入れるように構成された昆虫入口と、下部ハウジング部分に移動可能に連結されて、昆虫入口から飛翔昆虫を受け入れるように構成された昆虫捕捉室も有する。昆虫捕捉室は、上部ハウジング部分が開位置にあるときにはアクセス可能で取外し可能であり、上部ハウジング部分が閉位置にあるときには上部ハウジング部分によって覆われている。燃焼装置が下部ハウジング部分の上に取り付けられている。燃焼装置は、中で可燃性燃料を連続燃焼するための内部空間を有するように構成され、二酸化炭素を含む排気ガスを生成する。排気出口は、排気ガスを受け入れて、排気ガスがこれを通って外側へ流れることを可能にするように構成され、これによって、排気ガス中の二酸化炭素に誘引された昆虫は捕捉装置の方へ飛翔することになる。捕捉装置はさらに、昆虫入口に連通して、捕捉装置に誘引された昆虫を昆虫捕捉室の中に昆虫入口を通じて引き入れるように構成された真空装置と、（ａ）上部ハウジング部分を開位置に支持する支持位置と、（ｂ）上部ハウジング部分が閉位置に移動できるようにする不動作位置との間を移動可能な支持部材とを含む。
【０００７】
本発明のさらに別の態様によれば、可燃性燃料を含む燃料供給物によって使用するように構成された飛翔昆虫捕捉装置が提供される。この捕捉装置は、支持フレームと、飛翔昆虫を受け入れるように構成された昆虫入口と、昆虫入口から飛翔昆虫を受け入れるように構成された昆虫捕捉室と、中で可燃性燃料を連続燃焼して二酸化炭素を含む排気ガスを生成するための内部空間を提供するように構成された燃焼装置とを有する。捕捉装置は排気出口も有し、排気出口によって排気ガスが受け入れられ、排気ガスがこれを通って外側へ流出することができ、こうして排気ガス中の二酸化炭素によって誘引された昆虫は捕捉装置に向かって飛翔することになる。電力を供給された真空装置が昆虫入口に連通しており、捕捉装置に誘引された昆虫を、昆虫入口を通じて昆虫捕捉室の中に引き入れるように作られている。熱を放散させるためにヒート・シンクが構成され、熱電装置が、熱がその第１側からその第２側に伝達すると電流を発生させる。熱電装置は、燃焼装置と接触して配置された第１側と、ヒート・シンクと接触して配置された第２側とを有し、連続燃焼によって発生した熱が熱電装置を介してヒート・シンクへ伝達できるようにし、電流を発生させる。熱電装置は少なくとも真空装置に電気的に接続されてこの真空装置に電力を供給する。捕捉装置はさらに、燃焼装置を熱電装置に対して押圧して、熱電装置の第１側を横断して燃焼装置から伝わる熱を実質的に均一に分散させるための締付け装置も含む。締付け装置はヒート・シンクに連結され、燃焼装置に単一の接触点を加えるように構成され、この単一接触点は熱電装置の第１側の中心と実質的に整合している。
【０００８】
本発明のさらに別の態様によれば、可燃性燃料を含む燃料供給物によって使用するように構成された飛翔昆虫捕捉装置が提供される。この捕捉装置は、支持フレームと、飛翔昆虫を受け入れるように構成された昆虫入口と、昆虫入口から飛翔昆虫を受け入れるように構成された昆虫捕捉室と、中で可燃性燃料を連続燃焼して二酸化炭素を含む排気ガスを生成するための内部空間を提供するように構成された燃焼装置と、排気ガスを受け入れて、排気ガスがこれを通って外側へ流出できるように構成され、こうして排気ガス中の二酸化炭素によって誘引された昆虫は捕捉装置に向かって飛翔することになる排気出口とを含む。真空装置が昆虫入口に連通しており、これは捕捉装置によって誘引された昆虫を、昆虫入口を通じて昆虫捕捉室の中に引き入れるように作られており、昆虫誘引物質容器が燃焼装置と排気出口の間に流体連通して配置されている。誘引物質容器は、排気ガスが排気出口を通じて捕捉装置を流出する前に排気ガスの中に拡散する拡散性昆虫誘引物質を受け入れるように構成されている。昆虫誘引物質容器は、昆虫誘引物質の除去と取替えを可能にするための開口部と、この開口部を取外し可能に覆うカバーとを含む。このカバーは、誘引物質容器の中の誘引物質へのアクセスを可能にするため取外し可能である。
【実施例】
【０００９】
本発明の実施例を、添付の図面を参照して例示としてのみ以下に説明するが、図面において対応する参照記号は対応する部分を示している。
【００１０】
図１は、本発明の一実施例によって作られた飛翔昆虫捕捉装置１０を示す。装置１０は、バーベキュー・グリルに燃料を供給するために消費者によって通常使用される形式のプロパン・タンクなどの、可燃性燃料の供給物によって使用されるために設計されている。後でさらに詳しく説明するように、装置１０はＣＯ２ガスと水蒸気の供給物を発生させ、この供給物は昆虫誘引物質として放出され、装置が作動するために必要な全電力を発生するためにも構成されている。
【００１１】
大まかに言って、装置１０の一般機能は、蚊及び／又はその他の身体に食い付く昆虫を誘引するための昆虫誘引物質、すなわちＣＯ２ガスを含む流出物を放出することである。次に、内方への流れが誘引された昆虫を装置１０の内部にある捕捉室の中に引き入れ、ここで昆虫は捕獲されて、これを毒薬又は脱水／餓死によって殺すこともできる。代替案として、昆虫の研究に携わる使用者が、捕獲された昆虫を殺さず、代わりに生きたまま実験するために死ぬ前に装置１０から昆虫を取り出すことを選ぶこともできる。特定の昆虫捕獲目的とは関係なく、使用者は、装置１０の総合的機能は飛翔昆虫を誘引して捕獲することであると考える。この広い一般機能を達成するために本発明がどのように働くかを以下に詳細に論述する。
【００１２】
図１〜図３に示すように、装置１０は支持フレーム１２を含む。支持フレーム１２は、取付け構造物１６、例えば筒形支持体を提供するハウジング１４を含む。支持フレーム１２は１つ以上の脚を含んでもよく、これらの脚は、ハウジング１４を地上より高い位置に支持するためにハウジング１４上の取付け構造物１６と機能的に係合することができる。しかし支持フレーム１２は、本明細書において後で説明する機能的に作用する構成部分を支えるために適した任意の構造又は構成を有してもよく、例えば三脚配置を使用してもよい。その上、フレーム１２は、上記の‘２４３特許及び‘００５特許に示すように輪を含んでもよく、この結果、これらの特許の各々の全体は参照によって本出願に援用されている。代替案として、脚を使用する代わりにフレーム１２は、建物の内壁又は外壁、フェンスなどに装置１０を取り付けるためのブラケット（図示せず）、又は柱又は天井から吊るすためのハンガ（図示せず）を含んでもよい。さらに、支持フレーム１２は又、プロパン・タンクと装置１０を‘２４３特許にも示されているようにユニットとして共に運ぶことができるように、プロパン・タンクを支えるための支持デッキを含んでもよい。
【００１３】
ハウジング１４は、開位置と閉位置の間を枢動するための下部シェル２２又は下部分に枢動可能に取り付けられた（透明、半透明、又は透明部分２０を含んでもよい）上部シェル１８又は上部分を含む。開位置では、ハウジング１４の内部へのアクセスは可能である。閉位置ではシェル１８、２２をロックしてもよい。図示した実施例では、上部シェル１８は可動ロック部材１９を含み（例えば図５及び図６を参照）、この可動ロック部材１９は、閉位置において上部シェル１８をロックするように下部シェル２２の中に設けられた凹所の中に解除可能に受け入れられる。さらに上部シェル１８及び下部シェル２２は各々、閉位置にあるときには、支える目的のためのハンドルを提供するように協働する細長い凹所を含む。
【００１４】
図示した実施例では、シェル１８、２０はプラスチックから成形されている。その上、シェル１８、２０は各々、これと共に一体として成形された蝶番部分を有する。蝶番部分は、互いにインタロックして枢動を提供する。しかし、ハウジング１４は一般にどんな材料からでも作ることができ、どのような形状、構成、又は構造にすることもできる。
【００１５】
図１〜図３に示すように、筒形取入れノズル３０が下部シェル２２の底部から下向きに突出し、下部シェル２２と一体的に形成されている。筒形取入れノズル３０は朝顔形に広がった下端部３２を有し、この下端部３２は取入れノズル３０に締付け具又はスナップ・フィットによって取り付けられ、したがって取入れノズル３０の一部を形成する。朝顔形に広がった下端部３２は、周辺大気に開いている昆虫入口開口部を画定する。後の詳細な説明から理解されるように、真空が取入れノズル３０に加えられ、装置１０によって発散される昆虫誘引物質に誘引される昆虫は捕獲用の昆虫入口開口部の中に引き込まれることになる。取入れノズル３０とこれによって提供される入口開口部を任意の適当な方式でフレーム１２上に支えることができ、図示説明された構造は単なる例示的な構造である。したがって、その他の構造及び構成を使用することもできる。例えば、複数の昆虫入口開口部及び／又はその他の位置、形状、又は方向配置の開口部を使用してもよい。
【００１６】
図２〜図４に示すように、サブハウジング２４がハウジング１４の下部シェル２２に取り付けられている。サブハウジング２４は装置１０の燃焼組立体２６を囲い、燃焼組立体は、ＣＯ２ガスと水蒸気の供給を行うように構成されている。サブハウジング２４は後でさらに論述するように、燃焼組立体から周辺大気への排出経路、昆虫誘引物質を入れた構造、及び空気流発生器も提供する。さらに、サブハウジング２４は、ばね偏倚式支持部材２８を含んでもよく、この支持部材２８は、下部シェル２２とこれに取り付けられたサブハウジング２４に対して上部シェル１８を開位置に支持するように構成されている。図示された実施例では、１つ以上のコイルばねが支持部材２８を上向きに延在する支持位置に偏倚させる。上部シェル１８が閉位置にあるときには、支持部材２８を（１つ以上の）ばねの偏倚に対してサブハウジングの近くで下向きに枢動させることもできる。
【００１７】
図示されているように、サブハウジング２４は、取入れノズル３０の中に同心に取り付けられた出口ノズル３４を含む。出口ノズル３４は細長い筒３５を有し、この筒３５は出口ノズル３４に締付け具又はスナップ・フィットによって取り付けられ、したがって出口ノズル３４の一部を形成する。出口ノズル３４の細長い筒３５は、その下端部に、周辺大気に開いた排気出口開口部を備えている。詳しくは、図８に最もよく示されているように、サブハウジング２４は、入口３８と出口４０を有する導管３６を含む。入口４０は燃焼組立体２６の出口と連通しており、出口４０は出口ノズル３４とその排気出口開口部に連通している。排気ファン４１が出口ノズル３４の下端部に位置し、燃焼組立体２６の燃焼ガスが出口ノズル３４を通過するように作用する。すなわち、排気ファン４１は負圧を発生させ、この負圧が燃焼組立体２６から燃焼ガスを引き込み、これを出口ノズル３４から強制的に出す。この結果、燃焼組立体２６からの排気は、燃焼組立体２６から導管３６を通って、排気出口ノズル３４から周辺大気へ流れる。排気ファン４１には、後でさらに論述するように、制御装置から送られる電気が供給される。
【００１８】
出口ノズルとその排気出口開口部によって、二酸化炭素と水蒸気と任意の化学的昆虫誘引物質とを含む排気ガスの「柱状噴出」が、出口ノズルから外向き及び下向きに流れることが可能である。排気ガスの下向きの流れが床面に達すると、これは装置１０から床面に沿って放射状外向きに流れる。二酸化炭素と水蒸気と昆虫誘引物質とに誘引される蚊又はその他の昆虫は、この二酸化炭素と水蒸気と昆虫誘引物質の放射状に広がる柱状噴出を感知して、柱状噴出に従ってその源泉すなわち排気出口開口部に至ることが可能である。
【００１９】
開示された構造から理解できるように、出口ノズル３４は取入れノズル３０と同軸であるから、誘引された昆虫は昆虫誘引物質に従ってその源泉（すなわち排気出口開口部）に至ることになり、こうして出口開口部に至ると昆虫入口の直ぐ近くに来ることになる。この結果、誘引された昆虫は取入れノズル３０の中への流入によって「真空吸引」され、これによって昆虫は装置１０の中に引き込まれてその中に捕獲される。真空取入れ流と排気ガス流出のそれぞれの流れは、図８において流入矢印及び流出矢印によって指示され、「対向流」と呼ばれる。開示された構造のこの態様のさらなる詳細と変形については、‘２４３特許及び‘００５特許を参照することができる。１９９６年９月１７日に出願された米国特許第６２８６２４９号も参照することができ、これにより参照によってこの全体が本明細書に援用されている。さらに、出口ノズル３４とその出口開口部を任意の適当な方式で支えてもよく、図示説明された構造は単なる例示的な構造である。例えば、複数の出口開口部及び／又はその他の位置、形状、又は方向配置の開口部を使用してもよい。
【００２０】
図８に示すように、昆虫捕捉室を画定する内部を有する網袋４２が、サブハウジング２４に取入れノズル３０の近くで取外し可能に取り付けられている。袋４２によって画定された室は入口開口部に連通しているので、真空によって引き込まれた昆虫は袋の中に集積され、ここで昆虫は脱水され消滅することになる。代替案として、殺虫機能を容易にする目的で毒薬によって袋の材料を処理してもよいが、これは本発明の必要な特性ではない。網袋４２は、網袋４２をサブハウジング２４に取り付けるためにサブハウジングに取外し可能に取り付けることができる剛性フレーム部分４４（口として図示されている）を含んでもよい。
【００２１】
図２に示すように、サブハウジング２４は、開位置と閉位置の間を枢動することができるアクセス・ドア４６を含む。アクセス・ドア２４によって、サブハウジング２４の内部へのアクセスが可能になり、使用者は除去／取替えの目的で望みに応じて網袋４２にアクセスできる。又別の代替案として、網袋の代わりにプラスチック箱又はその他の適当な構造物を使用してもよい。図解された実施例では、アクセス・ドア４６を、使用者が網袋４２を視覚的に調査して除去／取替えが必要であるか否かを判断することができるように、透明な材料から形成することもできる。特に、透明な材料で作られたドアによって、使用者は袋４２に昆虫がその容量一杯に溜まっているか又はそれに近いかを眼で見て確かめることができる。又、ハウジング１４の上部シェル１８は、ハウジング１４の上部シェル１８又はサブハウジング２４のアクセス・ドア４６のいずれかを開けることなく使用者が袋４２を眼で見て確かめることができるようにする透明な部分２０を含んでもよい。
【００２２】
図８に示すように、空気が入口開口部の中に流れて取入れノズル３０を通り、これによって、周囲大気中の入口開口部の近くに位置することもあるあらゆる飛翔昆虫が、入口開口部と取入れノズル３０を介して連通している袋４２の中へ引き込まれてそこに溜められる。空気の装置１０への流入を生じさせる真空は、袋４２の下流側に置かれた電動ファン４８によって作られる。ファン４８には、後で論述するように制御装置から送られる電気が供給される。ファン４８は、空気を上流方向から、例えば入口開口部を通って、次に取入れノズル３０を通り、それから網袋４２を通って引き込むように構成され、昆虫を装置１０の中に引き込むことを可能にする真空を生じさせる。次に、ファン４８によって袋４２を通じて引き込まれる大気はファンの下流に送られ、燃焼組立体２６を冷却する。ファン４８は、網袋４２がファン４８に接触しないようにするために設けられた格子障壁すなわちバッフル５０を含む。その上、１つ以上のフィルタ５２がハウジング１４とサブハウジング２４に設けられて、燃焼組立体２６を通過した空気を装置１０から確実に排出させる。フィルタ５２は金属製網生地で構成されているが、さらに広くはいずれの適当な濾過方法も受け入れることができよう。
【００２３】
ＣＯ２ガスと水蒸気を含む昆虫誘引物質は、ハウジング１４の中に設けられた燃焼組立体２６においてプロパン又はその他の任意の適した炭化水素燃料を燃焼させることによって発生する。
【００２４】
ハウジングの下部シェル２２は、燃焼組立体２６を取り付けるための比較的平坦な区域を画定する一連の一体形成されたリブを含む。下部シェル２２は又、一対の開口部５４、５６も含む。開口部５４は、好ましくはプロパンである可燃性燃料を燃焼組立体２６に供給する目的で、調整ホース５７をこの中に挿入して、燃焼組立体２６に連結できるようにするために設けられている。開口部５６は、後で論述するように、燃焼組立体２６の燃焼室から可燃性燃料を放出する目的で、バルブ組立体５８をこの中に挿入して、燃焼組立体２６に連結できるようにするために設けられている。
【００２５】
図９〜図１１に最もよく示されているように、燃焼組立体２６は、一般には円筒状である燃焼室６２を提供する燃焼室部分６０を含む。燃焼室部分６０は少なくとも部分的に、アルミニウム、銅、又はその他の任意の金属などの熱伝導性物質から形成されている。後でさらに詳細に論述するように、燃焼室部分６０の一部分をセラミック又はその他の任意の耐熱絶縁材料から形成することが意図されている。
【００２６】
入口室６４が、例えば締付け具によって燃焼室部分６０の一端部に取り付けられ、排気室６６が例えば締付け具によって燃焼室部分６０の反対端部に取り付けられている。絶縁物６８、例えばガスケットが、燃焼室部分６０と入口室６４と排気室６６の各々との間に取り付けられている。
【００２７】
入口室６４は、燃焼室部分６０の燃焼室６２に空気／プロパン混合物を提供するように空気源とプロパン源とに連通している入口を有する。
【００２８】
特に、図８に示すように、空気導管の形の空気供給部分７０が入口室６４とヒート・シンク７２の片側との間に延在している。ファン４８の下流側からの空気は、ヒート・シンク７２に隣接する開口部を通じて空気供給部分７０に入り、空気は入口室６４に送られ、ここで、入口室６４に連結された燃料ノズルによって供給される燃料と混合する。図８及び図１２に示すように、空気は入口室６４に設けられた１つ以上の開口部７１、例えば２つの開口部を通じて入口室６４に入る。この配置の結果として、入口室６４を通じてファン４８によって空気を強制することによって、空気供給部分７０を介して空気を燃焼室６２に引き渡すことができる。
【００２９】
入口室６４には燃料ノズル７８が受け入れられている。ノズル７８は従来の形式でもよく、約４５度の噴霧角度を有してもよい。ノズル７８はソレノイド・マニホルド７６と連通している。燃料供給部（すなわちプロパン・タンク）に関連するプロパン源調整器７４の調整ホース５７の一端部はソレノイド・マニホルド７６に連結され、マニホルドは燃料供給部とノズル７８の間の流体連通を確立し、これによってノズル７８への、したがって燃焼室６２への可燃性燃料の配送を行う。可燃性燃料は空気供給部分７０によって配送される空気と混ざり、この混合物は入口室６４を介して燃焼室６２へ送られる。
【００３０】
ソレノイド・マニホルド７６のソレノイド・バルブが、ノズル７８への配送のために燃料がマニホルドを通って流れることができるようにする開位置と、燃料がマニホルドを通って流れることを防ぐ閉位置との間を移動し、こうして燃料がノズル７８へ流れることを防ぐ。ソレノイド・バルブは、バルブを閉位置に向けて偏倚させるばねを含んでもよい。ソレノイド・マニホルド７６とそのソレノイド・バルブは制御装置と電気的に連絡し、制御装置は電気信号を伝送してソレノイド・バルブにエネルギーを与え、これを開位置と閉位置との間で動かす。ある制御計画によって指図されるように、ある一定の動作条件の下では、制御装置は、ノズル７８及び燃焼室６２へのさらなる燃料の流れを防ぐ目的で、ばねがバルブをその閉位置に動かすように、上記の電気信号を中断することができる。
【００３１】
上述のように、ソレノイド・マニホルド７６は燃焼室への燃料の連続流を提供するが、このソレノイドは又、動作中に燃料のパルス（間欠）流を提供するように構成することもできる。パルス式ソレノイドのさらなる詳細が米国特許出願公開第２００４／０２３７３８２号に開示されており、この全体が参照によって本明細書に援用されている。
【００３２】
その上、筒とバルブを含むバルブ組立体５８が、燃焼組立体２６の燃焼室から可燃性燃料を圧縮空気によって一気に流す又は放出する目的で、ソレノイド・マニホルド７６に機能的に連結してもよい。バルブ組立体５８は又、ガス又は液体などの流体によって、ソレノイド・マニホルド及びノズルを含む燃料配送装置の一気流れを可能にすることもできる。バルブ組立体５８のさらなる詳細は米国特許第６８１７１４０号に開示されており、この全体が参照によって本明細書に援用されている。ソレノイド・マニホルド７６とレリース・バルブ組立体５８の使用は好ましい一特徴であり、限定されるものと考えてはならない。
【００３３】
図１０及び図１１で最も示されているように、比較的薄い拡散プレート８０が燃焼室６２の中に入口室６４に隣接して取り付けられている。拡散プレート８０はこれを通る複数の開口を有する。被覆されていない触媒不活性モノリス８２が燃焼室６２の中にあって拡散プレート８０の下流に位置する。モノリス８２は、その長さを通じて形成された一連の細長い本質的に直線の導管、例えば１００個の小室を有する。白金で被覆された触媒活性モノリス８４が燃焼室６２の中にあって被覆されていないモノリス８２の下流に、これとは離隔して位置している。モノリス８４も又、その長さを通じて形成された一連の細長い本質的に直線の導管、例えば１００個の小室を有する。絶縁材料８６を両方のモノリス８２、８４と燃焼室６２の内表面の間に半径方向に位置付けることもできる。最後に、別の触媒要素８８、例えば１つ以上の追加の触媒活性モノリス、複数の白金被覆された触媒ビーズ、又はこれらの任意の組合せを、燃焼室６２の中にモノリス８４に隣接して位置付けてもよい。単一の触媒活性モノリス８４を一連のモノリス及び／又は触媒ビーズの代わりに使用することも意図されている。触媒ビーズではなく触媒活性モノリス８４を利用することは、モノリス８４を通る導管が排気ガスの触媒上の流れをより均一に分散させる助けをするので、触媒の寿命を延ばすこともあると判定されている。平坦な網９０が触媒要素８８と排気室６６との間に位置している。
【００３４】
燃焼室部分６０の壁はモノリス８２、８４の間に位置する点火器受入れ孔を有する。点火器９２を、この孔に挿入してモノリス８２、８４の間に位置付けることができる。点火器は制御装置によって配送される電気によって作動し、モノリス８２、８４の間を流れる燃料／空気混合物を点火するスパークを生じさせる。動作中は、燃料／空気の混合物がモノリス８２、８４を通って流れ続けるので、燃料／空気の混合物は連続的に燃焼することになる。この領域は燃焼点又は熱領域１３４と呼ばれ、図１４にさらに詳細に示され、後でさらに論述する。熱領域１３４はモノリス８２の下流に位置し、中空内部を有する。すなわち、除去可能な要素、例えば触媒ビーズ、モノリスは熱領域１３４の内部の中には存在しない。燃焼中は、触媒活性モノリス８４と任意の触媒要素８８が、結果として得られる排気ガスにおける一酸化炭素の二酸化炭素への変換を助ける。この変換は触媒要素８８の中で起こってもよく、又は触媒要素８８の前で、例えばモノリス８４の中で起こってもよい。
【００３５】
図１３及び図１４に最もよく示されているように、複数の熱交換フィン１３０が熱領域１３４における燃焼室６２の内部空間の中に半径方向内向きに延在している。フィン１３０は、燃焼室６２の熱領域１３４の内部空間から連続燃焼によって発生する熱を伝えるように構成されている。フィン１３０は、アルミニウム、銅、又は適当な材料などの熱伝導度の高い材料で作られることが好ましい。フィン１３０は、連続燃焼によって発生する熱を燃焼室部分６０の裏側１３２に伝えるように配置されている。燃焼室部分６０の裏側１３２は、実質的に平坦な円滑表面であることが好ましい。フィン１３０の構成と配置によって、フィン１３０のない構成と比較して、より多くの熱を燃焼室６２の内部から引き出すことができ、後でさらに詳細に論述するように、燃焼室６２を通過して流れる排気ガス流の分裂、並びに熱領域１３４の両端間の圧力低下を最小限に抑えることがわかっている。フィン１３０の反対側に位置する燃焼室部分６０の頂部分１４０を、熱をさらに燃焼室部分６０の裏側１３２に向けるために、セラミック材料から製造することも意図されている。
【００３６】
図１４に示すように、燃焼室６２は、熱領域１３４、積層領域１３６、及び触媒領域１３８を含む複数の領域を含んでもよい。モノリス８２を積層領域１３６の中に置いてもよく、触媒活性モノリス８４を、熱領域１３４が積層モノリス８２と触媒活性モノリス８４によって結合されるように触媒領域１３８の中に置くこともできる。熱領域１３４の容積に対してフィン１３０の容積を制御することによって、排気ガスの流れの分裂と燃焼室６２内の圧力低下を最小限にすると共に、かなりの量の追加の熱を熱領域１３４から、したがって燃焼室６２から抽出してもよいことが、本発明者によって判明している。熱領域１３４の容積に対するフィン１３０の容積の比の好ましい範囲は、約０．０５〜約０．１５、さらに好ましいのは約０．０９〜約０．１３、最も好ましいのは約０．１１である。０．１１の比を利用する特定の実施例では、燃焼室６２の裏側表面１３２の温度を、熱領域１３４を通る排気ガスの流れに実質的な影響を与えず、約１６３℃（約３２５°Ｆ）〜約１９１℃（約３７５°Ｆ）の間にある温度にまで上昇させることも期待され、実験では、裏側表面１３２を約１７７℃（約３５０°Ｆ）の温度に数時間持続できることが示された。この例はいずれにしても限定することを意図するものではない。
【００３７】
燃焼動作は次のようにして生じる。燃料（すなわちプロパン）をノズル７８によって燃焼室６２の上流端部の中に噴霧し、空気も又、燃料と混合するために空気供給部分７０を介して燃焼室６２の上流端部の中に強制的に送り込む。これによって燃料と空気の乱流混合物が作られる。この時点で、乱流は燃料と空気を確実に共に完全に混合するために望ましい。しかし、乱流は燃焼の時点では望ましくない。したがって、拡散プレート８０が機能して燃料を空気の中に分散させ、最初に乱流を減らし、したがって最初に流れを「直線にする」。具体的には、混合流がプレート８０を貫いて形成された開口を通って下流へ流れると、開口は混合流を下流の方向に「整列させる」ように機能し、その乱流を減少させ、こうして流れをいくらかさらに層流にする。混合物が下流に流れ続けると、混合物が積層部分１３６の中に配置されたモノリス８２の導管に入る。この導管の細長い実質的に直線の構成は、本質的にすべての乱流を除去し、燃料／空気混合物の本質的な層状流を熱領域１３４又は燃焼点に提供する。燃料と空気はひどい乱流状態の間に上流で完全に混合されているので、モノリス８２によって燃焼点に送られる混合物は本質的に均質である。燃焼中にすべての燃料が確実に燃えるためには、均質で層状の混合流が望ましい。具体的には、均質の流れが、燃焼点に存在する燃料と空気のすべてに均一な組合せを提供し、層状流は、混合物が燃焼中にひどい乱流状態である場合に起こるような、未燃焼の「ポケット」が排気ガスと共に通過することを防止し、これによって燃料の効率を上昇させる。このことは、最終的な排気ガスにおける燃料の存在は飛翔昆虫の誘引には効果的でないと考えられ、実際に防虫剤になることもあるので、排気ガスにおける燃料の存在を回避するために望ましい。
【００３８】
空気燃料混合物は燃焼によって燃えて、加熱された排気ガスを発生する。排気ガスは特に、二酸化炭素及び多少の一酸化炭素を含む。排気ガスは触媒活性モノリス８４と触媒領域１３８における任意の触媒要素８８を通って流れるので、触媒活性材料は反応を引き起こし、これによって、ガスの中に存在する一酸化炭素が二酸化炭素に変換される。通常は触媒変換と呼ばれるこの反応の副産物は、排気ガス中の（蒸発した形の）水の生成でもある。この反応が生ずる方式は周知であり、さらに詳しく説明する必要はない。この反応を提供する理由は、一酸化炭素は蚊及びその他の飛翔昆虫には防虫剤であるから、排気ガス中の一酸化炭素の存在をできるだけ多く除去することである。排気ガス中の水の存在は、結果的に生ずる排気ガスが、水が存在するために一般的に湿潤である哺乳動物の発散物をさらによく真似るので、触媒変換反応の、必要ではないが、有利な結果である。
【００３９】
ＣＯ２と水蒸気を含む燃焼ガスは、排気室６６を通ってサブハウジング導管３６の入口３８へ運ばれる。排気ファン４１は、導管３６を通じて燃焼ガスを出口ノズル３４へ引き出す。出口ファン４１は又、空気をファン４８から下流方向に導管３６の中へ、導管３６と排気室６６との間に設けた開口部を通じて引き出す。この空気は燃焼ガスと混ざり、ファン４１は混合物が出口ノズル３４を通過するように促す。
【００４０】
本発明者は、昆虫捕捉装置１０の実施例は、約５０００ｐｐｍ〜約１５０００ｐｐｍの間のＣＯ２、さらに一般的には約９５００ｐｐｍ〜約１３５００ｐｐｍの間のＣＯ２（これは従来技術による多くの装置の２倍、さらには３倍）で、捕捉装置１０を出るガスを提供できることを見出している。もちろん、このような数量はいずれにしても限定するものと考えてはならないし、これは捕捉装置１０の改善された効率の一例として提供されるだけである。
【００４１】
本発明者は、上述の形式の燃焼組立体２６を備えることによって、燃料ノズル７８の開口を、燃焼装置２６の内部に作られる少なくなった圧力低下が原因で増加することもできることも見出している。このような増加は、可燃性燃料における汚染物がノズル７８を通る燃料の流れを阻害することがあり、ノズル７８を詰まらせることさえあるので、ノズル７８の信頼性を改善する。例えば、従来技術による多くの捕捉装置は、これらの装置の中で発生する圧力低下は大きいので、約０．１１ｍｍ（約０．００４５インチ）〜約０．１５ｍ（約０．００６インチ）の開口直径を有する燃料ノズルを有する。本明細書に開示される設計のより効率的な燃焼組立体２６を準備することによって、開口を約０．２５ｍｍ（約０．０１０インチ）以上に例えば約１．２７ｍｍ（約０．０５０インチ）に増加できることがわかった。ある実施例では、開口の直径は約０．３３ｍｍ（約０．０１３インチ）に増加している。別の実施例では、開口の直径は約０．８３ｍｍ（約０．０３３インチ）に増加している。これらの直径をいずれにしても限定するものと考えるべきではない。
【００４２】
図８に示すように、（両側にグラフオイルを有する）熱電発電機は熱電（ＴＥ）モジュール９４を含んでいる。熱電発電機は、単一のＴＥモジュール又はＴＥモジュールのアレイ、例えは直列に配置されたＴＥモジュールを含んでもよい。ＴＥモジュール９４は、燃焼室部分６０の裏側１３２と押出しアルミニウム・ヒート・シンク７２との間に取り付けられている。ＴＥモジュール９４の出力電圧は制御装置に動力供給するために使用され、制御装置は装置の構成部分、すなわち取入れファン４８と排気ファン４１の動作を制御する。発生する電圧と電流は、接合部の数、燃焼室部分６０に隣接するモジュール９４の高温側（上に論述したように、いくつかの熱交換フィン１３０が燃焼室６２の中に延在して、燃焼室部分６０の裏側１３２に追加の熱を伝達する）から、ヒート・シンク７２に隣接する低温側（ファン４８は空気流をヒート・シンク７２の上に吹き付けてこれを冷却する）までの温度差、及びモジュール９４を通る熱束の直接関数である。燃焼室部分６０は又、絶縁物９６によって囲まれ、温度勾配を増加する。ＴＥモジュールがいかに動作するかのさらなる詳細が‘２４３特許に開示されている。
【００４３】
上に論述したように、熱交換フィン１３０の追加は、燃焼室部分６０から引き出される熱の量を増加し、これによって燃焼室部分６０の裏側表面１３２における温度を上昇させることがわかっている。次いでこれは、上述の他のすべての変数を一定に保ったときに、モジュール９４の出力を増加させるモジュール９４の高温側における温度を上昇させる。モジュール９４の高温側と低温側との間の温度差は約７７℃（約１７０°Ｆ）〜約１３７℃（２５０°Ｆ）の間にあることが好ましい。本発明の捕捉装置１０の実施例の試験によって、温度差は約１１０℃（約２３０°Ｆ）であることがわかった。もちろん、低温側における温度を最適化するためにさらなる改善を行うこともでき、これによって温度差をさらに改善する。上の例はいずれにしても限定することを意図するものではない。
【００４４】
図４及び図８に最もよく示すように、ＴＥモジュール９４は燃焼室部分６０とヒート・シンク７２との間に締付け装置９８によって締め付けられている。締付け装置９８は、燃焼室部分６０、ヒート・シンク７２、及びＴＥモジュール９４と互いに整列している。構成部分間の整列は、ＴＥモジュール９４にかかる締付け負荷の分散を容易にする。負荷の分散はＴＥモジュール９４に対する損傷を防止し、燃焼室部分６０の裏側１３２、ＴＥモジュール９４、及びヒート・シンク７２の間ですぐれたインタフェースを維持する。
【００４５】
締付け装置９８は、概ねＣ形状のアルミニウム棒１００を含んでいる。棒１００は、棒１００が燃焼室部分６０とＴＥモジュール９４を取り囲むように、ヒート・シンク７２に取り付けられたアームを有する。図４及び図７に示すように、棒１００のアームは各々、ヒート・シンク７２の上に設けた突出部１０３とインタロックする凹所１０１を含む。この配置によって、ヒート・シンク７２に沿った棒１００の滑動が可能になり、棒１００の燃焼室部分６０とＴＥモジュール９４との適切な整列が可能になる。しかし、棒１００を任意の別の適当な方式でヒート・シンク７２に連結することもできる。
【００４６】
締付け装置９８は又、燃焼室部分６０の上に単一接触点をもたらすばね偏倚式ピン組立体１０２も含んでいる。ＴＥモジュール９４の中心と実質的に整列している燃焼室部分６０に単一の接触点を当てることによって、燃焼室部分６０から伝えられる熱はＴＥモジュール９４の全体にわたって実質的に均一に分散されることがわかっている。ピン組立体１０２は棒１００に取り付けられ、燃焼室部分６０をヒート・シンク７２に向けて片寄らせるように、燃焼室部分６０と機能的に係合している。この配置は、ＴＥモジュール９４を燃焼室部分６０とヒート・シンク７２の間に締め付ける。ピン組立体１０２によって加えられる偏倚力は、ＴＥモジュール９４に加えられる負荷を調節するように調節されうる。具体的には、ピン組立体１０２は締付け具１０４、ピン１０６、及びばね１０８を含む。締付け具１０４は棒１００とねじ式に係合している。ピン１０６は締付け具１０４から離れるように偏倚され、ばね１０８によって燃焼室部分６０の中へ偏倚される。締付け具１０４が適切に調節されて、燃焼室部分６０にピン１０６によって加えられる偏倚力を調節することができる。
【００４７】
図２に示すように、補足昆虫誘引物質要素が出口ノズル３４の上端部に取り付けられている。昆虫誘引要素は、ハウジング１１０とキャップ１１２を含む。キャップ１１２は、これをサブハウジング２４に解放可能に固定するためのロック要素を有する。ハウジング１１０の内部で使用される誘引物質は、オクテノール、又は蚊やその他の飛翔昆虫の誘引を助ける哺乳類臭を真似たその他の任意の物質であってもよい。ハウジング１１０は、誘引物質が排気ガスと混ざって排気流の一部となることを可能にするために、１つ以上の開口部を有する。図示された実施例では、ハウジング１１０は、ハウジング１１０をサブハウジング２４に解放可能に取り付ける突出部１１４を有する。使用者が望むときには、キャップ１１２を外してハウジング１１０にアクセスすることによって、誘引物質を除去して必要に応じて取り替えることができる。
【００４８】
上に指摘したように、ＴＥモジュール９４によって動力供給される制御装置が装置１０の動作を制御する。図示された実施例では、制御装置は、互いに電気的に接続された第１及び第２回路板１１６、１１８を含む。第１回路板１１６はサブハウジング２４の後部に位置し、第２回路板１１８はサブハウジング２４の片側に位置する。しかし、制御装置を単一の回路板又は複数の回路板によって構成してもよいことを理解されたい。
【００４９】
装置１０の構成部分は回路板１１６、１１８に電気的に接続されている。これによって、制御装置はこれらの構成部分を制御しモニタリングすることができる。さらに、使用者が制御装置を操作して構成部分を選択的に制御してもよい。
【００５０】
図示された実施例では、ソレノイド７６、点火器９２、及びＴＥモジュール９４（すべてがサブハウジング２４の後部に向かって位置している）は、制御装置の第１回路板１１６に連絡している。排気ファン４１、取入れファン４８、及びＬＥＤ表示装置１２０は第２回路板１１８に連絡している。
【００５１】
回路板は主としてＴＥモジュール９４によって動力供給される。バッテリー１２２も又第２回路板１１８に結合され、ハウジング１４の上部シェル１８の上に設けられた太陽発電パネルのアレイが第１回路板１１６に結合されている。バッテリー１２２と太陽発電パネル１２４は、制御装置用の交流電源を提供する。しかし、制御装置にその他の任意の適当な方法で、例えば標準的な電気プラグによって動力供給してもよい。図示されたように、バッテリー１２２はサブハウジング２４の上に設けられた区画の中に固定されている。この区画は枢動可能な蓋を有し、この蓋を例えばスナップ・フィットによって閉位置に確保することができる。
【００５２】
飛翔昆虫捕捉装置１０をオンにすると、制御装置はファン４１、４８をオンにしてファン４１、４８の診断検査を実施することができる。ファン４１、４８の診断検査が欠陥を示すか、又はファン４１、４８がオンにならない場合には、制御装置は装置を停止して、ファン４１、４８にエラーがあることを使用者にＬＥＤ表示装置１２０を介して指示することができる。ファン４１、４８がオンになって、ファン４１、４８が診断検査に合格すると、制御装置はソレノイド７６を開いて、点火器９２をオンにし、装置の残りの診断検査を実施することができる。装置の残りの診断検査は、例えば点火器９２やソレノイド７６などのテストを含む。再度、診断検査で不合格になると、制御装置はどの検査で不合格になったかに関して使用者にＬＥＤ表示装置１２０を介して指示することができる。
【００５３】
制御装置は又、システムの温度を検査することもできる。温度が所定の大きさの範囲内にある場合には、システムは正常に動作し続けることができる。そうでない場合には、システムは温度維持過程を実施することができる。
【００５４】
装置１０は、ＬＥＤ表示装置１２０に隣接して取り付けられた手動操作可能なオン／オフ・スイッチ、例えばプッシュボタン・スイッチ１２６を有する。スイッチ１２６は制御装置と連絡しており、選択的に押されるか、そうでなければ使用者によって作動され、制御装置を活動化して装置をオン及びオフにすることができる。ＬＥＤ表示装置１２０は、装置がオン／オフになっているかどうか、並びにファン動作、温度などを表示することができる。
【００５５】
さらに可聴チャイム１２８を制御装置に結合して、誤動作などを使用者に警報することもできる。
【００５６】
上記の特定の実施例は本発明の構造的及び機能的原理を説明するために提供したもので、限定することを意図するものではない。そうではなく本発明は、添付の特許請求の範囲の精神と範囲の中ですべての変更、改変、及び代用も含むことを意図している。
【図面の簡単な説明】
【００５７】
【図１】本発明の一実施例によって作られた飛翔昆虫捕捉装置の上から見た斜視図である。
【図２】図１に示す飛翔昆虫捕捉装置の上から見た分解図である。
【図３】図１に示す飛翔昆虫捕捉装置の底から見た分解図である。
【図４】図３に示す飛翔昆虫捕捉装置の燃焼組立体とサブハウジングを示す拡大斜視図である。
【図５】図１に示す飛翔昆虫捕捉装置の上部シェルの上から見た斜視図である。
【図６】図５に示す上部シェルの分解図である。
【図７】図４に示す飛翔昆虫捕捉装置の燃焼組立体とサブハウジングの側面図である。
【図８】図７の線８−８に沿った断面図である。
【図９】図１に示す飛翔昆虫捕捉装置の燃焼組立体の側面図である。
【図１０】図９に示す燃焼組立体の分解図である。
【図１１】図９の線１１−１１に沿った断面図である。
【図１２】図１に示す飛翔昆虫捕捉装置の燃焼組立体、ヒート・シンク、及び取入れファンの拡大斜視図である。
【図１３】図１０の燃焼組立体の燃焼室部分の端面図である。
【図１４】線ＸＩＶ−ＸＩＶに沿った図１３の燃焼室部分の断面図である。
【図１】
2007529230.tif 000002
【図２】
2007529230.tif 000003
【図３】
2007529230.tif 000004
【図４】
2007529230.tif 000005
【図５】
2007529230.tif 000006
【図６】
2007529230.tif 000007
【図７】
2007529230.tif 000008
【図８】
2007529230.tif 000009
【図９】
2007529230.tif 000010
【図１０】
2007529230.tif 000011
【図１１】
2007529230.tif 000012
【図１２】
2007529230.tif 000013
【図１３】
2007529230.tif 000014
【図１４】
2007529230.tif 000015
【国際調査報告】
2007529230.tif 000016